(57)【要約】 【課題】  利用者が正しい指使いで効果的にタイピングを習得することができ、タイピングの速度及び正確率を向上させる訓練システム及び方法の提供。【解決手段】  コンピュータシステムに接続され、タイピングする利用者の指毎に割り当てられる複数の入力領域に割り当てられる複数のキーを有するキーボード入力装置と、  前記利用者の指に取り付けられる少なくとも一つのセンサ及び信号変換器を有する指検出装置とを備え、前記キーボード入力装置の前記キーが前記利用者の入力指に打たれることにより、前記コンピュータシステムは前記キーボード入力装置により生成される入力信号を受信し、前記変換器は、前記入力指と対応するセンサにより生成される打ち信号を照合信号に変換し、且つ、前記照合信号を前記コンピュータシステムに転送することを特徴とするタイピング訓練システム。【選択図】  図１
2006215318.tif 000002
【特許請求の範囲】
【請求項１】
コンピュータシステムに接続され、タイピングする利用者の指毎に割り当てられる複数の入力領域に割り当てられる複数のキーを有するキーボード入力装置と、
前記利用者の指に取り付けられる少なくとも一つのセンサ及び信号変換器を有する指検出装置とを備え、
前記キーボード入力装置の前記キーが前記利用者の入力指に打たれることにより、前記コンピュータシステムは前記キーボード入力装置により生成される入力信号を受信し、前記変換器は、前記入力指と対応するセンサにより生成される打ち信号を照合信号に変換し、且つ、前記入力信号と対応する前記入力領域のうち一つの領域と前記照合信号との照合が行われるために、前記照合信号を前記コンピュータシステムに転送することを特徴とするタイピング訓練システム。
【請求項２】
前記センサの数は前記入力領域の数と等しいことを特徴とする請求項１に記載のタイピング訓練システム。
【請求項３】
前記センサの数及び前記入力領域の数は前記利用者の指の数以下であることを特徴とする請求項１に記載のタイピング訓練システム。
【請求項４】
前記センサは圧力センサであり、前記打ち信号は前記キーボード入力装置のキーを打つときに生成する圧力から生成されることを特徴とする請求項１に記載のタイピング訓練システム。
【請求項５】
前記センサは振動センサであり、前記打ち信号は前記キーボード入力装置のキーを打つときに受けられる振動から生成されることを特徴とする請求項１に記載のタイピング訓練システム。
【請求項６】
前記センサは静電気センサであり、前記打ち信号は前記キーボード入力装置のキーを打つときに生成する静電気から生成されることを特徴とする請求項１に記載のタイピング訓練システム。
【請求項７】
前記変換器は前記打ち信号をデジタルの照合信号に変換することを特徴とする請求項１乃至６のうちいずれか一項に記載のタイピング訓練システム。
【請求項８】
タイピングする利用者の指毎に割り当てられる複数の入力領域に割り当てられる複数のキーを有するキーボード入力装置を備えるコンピュータシステムに適するタイピング訓練方法であって、
前記キーボード入力装置が前記利用者の一つの入力指に打たれることにより、入力信号と打ち信号を取得するステップと、
前記入力領域から前記入力信号に対応する一つの入力領域を特定するステップと、
前記打ち信号を照合信号に変換するステップと、
前記照合信号と前記入力信号と対応する前記領域とを照合し、照合結果を取得するステップと、
前記照合結果を出力するステップとからなることを特徴とするタイピング訓練方法。
【請求項９】
前記入力信号は、前記入力指により打たれた前記キーボード入力装置の前記キーに対応して、生成されることを特徴とする請求項８に記載のタイピング訓練方法。
【請求項１０】
前記打ち信号は、前記キーボード入力装置が前記利用者の前記入力指により打たれることにより、生成されることを特徴とする請求項８に記載のタイピング訓練方法。
【請求項１１】
前記照合信号は、デジタル信号であることを特徴とする請求項８に記載のタイピング訓練方法。
【請求項１２】
前記照合結果は、音声の方式で表示することを特徴とする請求項８に記載のタイピング訓練方法。
【請求項１３】
前記照合結果は、映像の方式で表示することを特徴とする請求項８に記載のタイピング訓練方法。
【請求項１４】
前記照合結果は、画像の方式で表示することを特徴とする請求項８に記載のタイピング訓練方法。
【請求項１５】
前記照合結果は、文字の方式で表示することを特徴とする請求項８に記載のタイピング訓練方法。
【発明の詳細な説明】
【技術分野】
【０００１】
本発明は、キーボード入力装置を有するコンピュータシステムに好適するタイピング習得のための訓練システム及び方法に関わる。
【背景技術】
【０００２】
IT産業及びネットワークの普及につれ、コンピュータは普及しつつあり、あらゆる場所で、人間の日常生活にまで応用されている。利用者とコンピュータとの交流において、キーボード入力は、メイン入力方法である。タイピング習得をする初心者にとっては、キーボード入力は重要である。利用者は、キーボード入力訓練を通じて、コンピュータ使用の効果を一層向上させ、仕事の効率を改善することができる。
【０００３】
市販のタイピング習得用ソフトウエアは、タイピングの速度及び正確率を重視する反面、利用者の指使いにおける訓練を無視する。タイピングの速度及び正確率は勿論タイピングの効率に寄与する重要な要素であるが、正しくない指使いは、利用者の手首部に損傷、或いは終身な損傷を与える原因になる。従って、如何に、タイピング訓練において適宜に直観的に利用者を指導するかは重要な課題である。
【０００４】
殆どのソフトウエアは、静的画面を提示し、利用者が実際にタイピング練習を開始する前に指の位置を暗記する必要のあるものである。これらのソフトウエアでは、練習中、タイピングの速度及び正しさのみおついて指導することができるが、指使いにおいて指導できない。利用者は一旦指使いにおいて正しくない習慣を付けると、習得時間が長くなるばかりか、タイピング速度の向上が難しくなる。
【特許文献１】特に無
【発明の開示】
【発明が解決しようとする課題】
【０００５】
前記問題点に鑑み、本発明が解決しようとする課題は、利用者が正しい指使いで効果的にタイピングを習得することができ、タイピングの速度及び正確率を向上させる訓練システム及び方法を提供することにある。
【課題を解決するための手段】
【０００６】
本発明は、キーボード入力装置と指検出装置を含む。キーボード装置は、コンピュータシステムと接続し、複数のキーを有する。これらのキーは複数の入力領域に割り当てられる。各入力領域は夫々利用者の一つの指と対応する。前記指検出装置は、利用者の指に取り付けられる一つ或いは複数のセンサと信号変換器とからなる。利用者がタイピングする際に、二つの信号が生成する。一つは打たれたキーから生成する。一つは、指がキーを打つときに該指に付けられたセンサから生成する。指に対する圧力は変換器により照合用デジタル信号に変換される。コンピュータシステムは、該両信号を同時に受信すると、速度及びキーを記録すると共に、利用者が正しい指使いでキーを打っているかを判断する。そして、システムは、音声や映像（image）、画像（picture）又は文字で、その結果を利用者に表示する。結果、このような方法により、タイピング訓練の迅速化が図られる。
【発明の効果】
【０００７】
本発明を利用すると、利用者が正しい指使いで効果的にタイピングを習得することができ、タイピングの速度及び正確率が向上する。
【０００８】
なお、本発明の他の特徴及び利点は、後述の実施例並びに図面の説明から一層明瞭にする。
【発明を実施するための最良の形態】
【０００９】
本発明の詳細は、実施例並びに図面の説明から一層明瞭にする。なお、図面及び明細書に使う参考符号は一致し、同一或いは類似の部分を指す。
【００１０】
図１は本発明の実施の形態に係るシステムのブロック図である。
【００１１】
図１において、本発明の訓練システムは、コンピュータシステム１０に接続されるキーボード入力装置２０と、利用者の手に取り付けられタイピングのときの指６０の作動を検出する指検出装置３０とから構成される。指検出装置３０は、少なくとも一つの内蔵センサ３２と信号変換器３１からなる。普段、一つのセンサは利用者の一つの指と対応する。
【００１２】
図２はキーボードの例を示す。キーボード入力装置２０は、複数の入力領域２１に割り当てられる複数のキー２１１を備える。各入力領域２１は夫々同一数量のキー２１１を有する。各入力領域２１は夫々利用者の一つの指と対応する。よって、普段、入力領域２１の数は１０にして良い。また、入力領域２１の定義は、キーボード入力装置２０にてハードウエアにより行われる代わりに、ソフトウエアにより行われても良い。
【００１３】
練習中、利用者の指がキーボード入力装置２０のキー２１１を打つと、打たれたアルファベットキー或いは数字キーに応じる信号が生成する。更に、センサ３２は、圧力や静電気又は振動の方式で、どの指がキーを打ったかを検出する。例えば、センサ３２は、圧力センサとする場合に、キー２１１を打つときに生成する圧力を検出する。また、センサ３２は、振動センサとする場合に、振動を検出する。更に、センサ３２は静電気センサとする場合に、人体による静電気から検出する。
【００１４】
センサ３２により生成されたキー打ち信号は変換器３１によりデジタル照合信号に変換されてから、コンピュータシステム１０へ転送される。コンピュータ１０では、該信号はどの入力領域に属しどの指によるものであるかが判断される。そして、該コンピュータは、該入力領域と使用の指とが対応するかを判断し、判断の結果を利用者に表示する。これにより、利用者はミスがあるか否かが分かる。
【００１５】
図４に示すように、普段、キーボード５０は、八つの入力領域、即ち、第１の入力領域５１、第２の入力領域５２、第３の入力領域５３、第４の入力領域５４、第５の入力領域５５、第６の入力領域５６、第７の入力領域５７、第８の入力領域５８と分けることができる。これらの入力領域は、利用者の中指、薬指及び小指に割り当てられる。また、これらの指は夫々センサ８１を付けられる。例えば、左手の小指７１は第１の入力領域５１と対応する。該小指７１は、第１の入力領域５１のキー、例えば、キー「A」（図示していない）を打ったときに、対応する入力信号がコンピュータにて受信される。一方、センサ８１を介して、コンピュータは、利用者がその小指７１でキーを打ったことを検知することができる。キーを打った指と所定領域が合致するため、指使いが正しい。一方、本来薬指で打つべき第２の入力領域５２に属するキー「S」を、小指７１で打ったときに、エラーが検知されてしまい、エラーの結果が利用者に通知される。これにより、利用者がやり直すことができる。
【００１６】
図３は本発明の実施の形態に係る訓練方法の流れを示す図である。
【００１７】
図３において、利用者がキーボード入力装置のキーを打つときに、コンピュータにて、利用者に打たれたキーと対応する入力信号と、キーを打つのに使用された指と対応する打ち信号との二つの信号が受信される（ステップ９０１）。次に、システムは、該入力信号がどの入力領域に属するかを判断し（ステップ９０２）、該打ち信号を照合信号に変換する（ステップ９０３）。次に、コンピュータは、該照合信号と入力信号とを照合した後に、使用された指が入力信号により特定された入力領域と合致するかを判断する（ステップ９０４）。最後、音声や映像（image）、画像（picture）又は文字で、照合の結果を利用者に表示し、利用者に正しい指使いを示す。
【００１８】
本発明は前記実施例の如く提示されているが、これは本発明を限定するものではなく、当業者は本発明の要旨と範囲内において変形と修正をすることができる。
【図面の簡単な説明】
【００１９】
【図１】本発明の実施の形態に係るシステムのブロック図である。
【図２】本発明の実施の形態に係るキーボード入力装置における入力領域の定義を示す図である。
【図３】本発明の実施の形態に係る訓練方法の流れを示す図である。
【図４】本発明の応用例を示す図である。
【符号の説明】
【００２０】
１０  コンピュータシステム
２０  キーボード入力装置
２１  入力領域
３０  指検出装置
３１  変換器
３２  センサ
５０  キーボード
５１  第１の入力領域
５２  第２の入力領域
５３  第３の入力領域
５４  第４の入力領域
５５  第５の入力領域
５６  第６の入力領域
５７  第７の入力領域
５８  第８の入力領域
２１１  キー
【図１】
2006215318.tif 000003
【図２】
2006215318.tif 000004
【図３】
2006215318.tif 000005
【図４】
2006215318.tif 000006